(57)【要約】【課題】ベース部材に対するブラケット本体の取り付け、取り外しを容易にすることができるようにした手摺用ブラケットを提供すること。【解決手段】壁面１に固定されるベース部材１０と、ベース部材に着脱可能なブラケット本体２０とを具備し、ベース部材は、ベース部材用固定ねじ１１の貫通孔１２と、固定ねじ２１を螺合するねじ孔１３とを有する板状部材にて形成され、頂面１４にＶ字状溝１５を具備する。ブラケット本体は、ベース部材の表面部に当接する取付座２２と、頂面に載置される載置突部２３と、挿通孔２４とを具備し、載置突部の下面に、Ｖ字状溝と嵌合可能なＶ字状突起２７を具備する。ベース部材の頂面にブラケット本体の載置突部を載置し、Ｖ字状溝とＶ字状突起とを嵌合して仮固定した状態で、挿通孔を貫通する固定ねじをねじ孔に螺合して固定し、固定ねじの螺合を解除した状態で、ベース部材に対してブラケット本体を上方向に取り外す。【選択図】    図６
2008057104.tif 000002
【特許請求の範囲】
【請求項１】
壁面に固定されるベース部材と、このベース部材に対して着脱可能に固定されるブラケット本体とを具備する手摺用ブラケットであって、
上記ベース部材は、上記壁面に螺合されるベース部材用固定ねじの貫通孔と、上記ブラケット本体の固定ねじを螺合するねじ孔とを有する板状部材にて形成されると共に、その頂面に位置決め用係合受け部を具備し、
上記ブラケット本体は、上記ベース部材の表面部に当接する取付座と、この取付座の上部からベース部材側に向かって突設されてベース部材の頂面に載置される載置突部と、上記固定ねじの挿通孔とを具備すると共に、上記載置突部の下面に、上記位置決め用嵌合受け部と嵌合可能な嵌合部を具備し、
上記ベース部材の頂面にブラケット本体の載置突部を載置すると共に、位置決め用嵌合受け部と嵌合部とを嵌合して仮固定した状態で、上記挿通孔を貫通する固定ねじを、上記ベース部材に設けられたねじ孔に螺合して固定し、固定ねじの螺合を解除した状態で、ベース部材に対してブラケット本体を上方向に取り外し可能に形成してなる、ことを特徴とする手摺用ブラケット。
【請求項２】
請求項１記載の手摺用ブラケットにおいて、
上記位置決め用嵌合受け部をＶ字状溝にて形成し、嵌合部を上記Ｖ字状溝に嵌合可能なＶ字状突起にて形成してなる、ことを特徴とする手摺用ブラケット。
【請求項３】
請求項１又は２記載の手摺用ブラケットにおいて、
上記ブラケット本体は、上記取付座の表面側に膨隆する連結部を介して手摺取付アームが延在してなり、上記連結部の側面に、固定ねじの挿入案内用凹溝を形成してなる、ことを特徴とする手摺用ブラケット。
【請求項４】
請求項１ないし３のいずれかに記載の手摺用ブラケットにおいて、
上記ベース部材若しくはブラケット本体に対して着脱可能に装着され、上記ベース部材とブラケット本体の固定部を外部から被覆するカバー部材を更に具備する、ことを特徴とする手摺用ブラケット。
【発明の詳細な説明】
【技術分野】
【０００１】
この発明は手摺用ブラケットに関するもので、更に詳細には、壁面に固定されるベース部材と手摺を支持するブラケット本体とが分解可能な手摺用ブラケットに関するものである。
【背景技術】
【０００２】
一般に、室内や廊下等に取り付けられる手摺のブラケットは、壁面に例えば木ねじ等の固定ねじで固定されている。そのため、長期の使用により汚れた壁紙の張り替えやブラケットの交換などを行う場合、その都度ブラケットを壁面から外していては壁面のねじ孔が緩くなってしまい、再度の取り付けに支障をきたすという問題がある。
【０００３】
また、壁紙の張り替えの際に、ブラケットは取り外すことなく、ブラケットを避けるようにして壁紙の貼り付けを行うこともあるが、これは作業に手間がかかる上、時間やコストなどに問題がある。
【０００４】
上記問題を解決する方法として、ブラケットを壁面に固定される部分と、手摺を支持する部分とを着脱式にすることが考えられる。この手法をとるブラケットとして、壁面に固定される座金部材と、座金部材に対して着脱可能に嵌合固定されるブラケット本体とを具備する手摺ブラケットが知られている（例えば、特許文献１参照）。
【０００５】
また、別の手摺用ブラケットとして、ビスで壁に固定される台座と、この台座を覆い隠すように貼ったクロスを通して取付ねじで固定する取付座を有するブラケットとを具備し、台座には、取付座の位置関係を定める目印としての隆起もしくは窪みを設け、取付座には、台座の隆起もしくは窪みと嵌合ないし係合する窪みもしくは膨隆物を形成するものが知られている（例えば、特許文献２参照）。
【特許文献１】特開２００５−９８０７５号公報（特許請求の範囲、図１，図３）
【特許文献２】特開２００４−３２４２３１号公報（特許請求の範囲、図２，図４，図１０，図１２）
【発明の開示】
【発明が解決しようとする課題】
【０００６】
しかしながら、従来のこの種の手摺用ブラケットにおいては、いずれも壁面に固定される座金部材や台座等のベース部材の表面に突設される嵌合部と、ブラケット本体の取付座の取付面すなわちベース部材の表面に当接される面に設けられる嵌合孔や窪み又は膨隆物等の嵌合部とを面に対する接離移動によって着脱可能に嵌合する構造である。
【０００７】
したがって、例えば階段の入隅部や出隅部に使用される連続手摺、特に入隅部に使用される連続手摺においては、入隅部の両壁面に対してブラケット本体を接離移動することができず、ベース部材に対してブラケット本体を取り付け、取り外すことができないという問題があった。
【０００８】
この発明は、上記事情に鑑みてなされたもので、階段の入隅部や出隅部を含むいかなる状態の手摺においても、ベース部材に対するブラケット本体の取り付け、取り外しを容易にすることができるようにした手摺用ブラケットを提供することを課題とするものである。
【課題を解決するための手段】
【０００９】
上記課題を解決するために、請求項１記載の発明は、壁面に固定されるベース部材と、このベース部材に対して着脱可能に固定されるブラケット本体とを具備する手摺用ブラケットであって、  上記ベース部材は、上記壁面に螺合されるベース部材用固定ねじの貫通孔と、上記ブラケット本体の固定ねじを螺合するねじ孔とを有する板状部材にて形成されると共に、その頂面に位置決め用係合受け部を具備し、  上記ブラケット本体は、上記ベース部材の表面部に当接する取付座と、この取付座の上部からベース部材側に向かって突設されてベース部材の頂面に載置される載置突部と、上記固定ねじの挿通孔とを具備すると共に、上記載置突部の下面に、上記位置決め用嵌合受け部と嵌合可能な嵌合部を具備し、  上記ベース部材の頂面にブラケット本体の載置突部を載置すると共に、位置決め用嵌合受け部と嵌合部とを嵌合して仮固定した状態で、上記挿通孔を貫通する固定ねじを、上記ベース部材に設けられたねじ孔に螺合して固定し、固定ねじの螺合を解除した状態で、ベース部材に対してブラケット本体を上方向に取り外し可能に形成してなる、ことを特徴とする。この場合、ベース部材に設けられる位置決め用嵌合受け部とブラケット本体に設けられる嵌合部は、互いに着脱可能に嵌合する形態であれば任意の形態であっても差し支えないが、好ましくは、上記位置決め用嵌合受け部をＶ字状溝にて形成し、嵌合部を上記Ｖ字状溝に嵌合可能なＶ字状突起にて形成する方がよい（請求項２）。
【００１０】
このように構成することにより、ベース部材の頂面にブラケット本体の載置突部を載置すると共に、位置決め用嵌合受け部と嵌合部とを嵌合した状態で仮固定し、挿通孔を貫通する固定ねじを、ベース部材に設けられたねじ孔に螺合してベース部材とブラケット本体とを固定することができる。また、固定ねじの螺合を解除した状態で、壁面に固定されたベース部材に対してブラケット本体を上方向に移動して取り外すことができる。この場合、位置決め用嵌合受け部をＶ字状溝にて形成し、嵌合部をＶ字状溝に嵌合可能なＶ字状突起にて形成することにより、ベース部材に対するブラケット本体の取り付けを容易にすると共に、強固に嵌合することができる。
【００１１】
また、請求項３記載の発明は、請求項１又は２記載の手摺用ブラケットにおいて、上記ブラケット本体は、上記取付座の表面側に膨隆する連結部を介して手摺取付アームが延在してなり、上記連結部の側面に、固定ねじの挿入案内用凹溝を形成してなる、ことを特徴とする。
【００１２】
このように構成することにより、ブラケットの設置面積をできる限り小さくすることができると共に、ブラケット本体すなわちブラケットに強度を持たせることができる。
【００１３】
また、請求項４記載の発明は、請求項１ないし３のいずれかに記載の手摺用ブラケットにおいて、上記ベース部材若しくはブラケット本体に対して着脱可能に装着され、上記ベース部材とブラケット本体の固定部を外部から被覆するカバー部材を更に具備する、ことを特徴とする。
【００１４】
このように構成することにより、ベース部材とブラケット本体の固定部をカバーによって外部から目隠しすることができる。
【発明の効果】
【００１５】
この発明の手摺用ブラケットは、上記のように構成されているので、以下のような効果が得られる。
【００１６】
（１）請求項１記載の発明によれば、壁面に固定されたベース部材の頂面にブラケット本体の載置突部を載置すると共に、位置決め用嵌合受け部と嵌合部とを嵌合して仮固定した状態でベース部材とブラケット本体とを固定することができる。また、固定ねじの螺合を解除した状態で、壁面に固定されたベース部材に対してブラケット本体を上方向に移動して取り外すことができるので、階段の入隅部や出隅部を含むいかなる状態の手摺においても、ベース部材に対するブラケット本体の取り付け、取り外しを容易にすることができる。
【００１７】
（２）請求項２記載の発明によれば、ベース部材に対するブラケット本体の取り付けを容易にすると共に、強固に嵌合することができるので、上記（１）に加えて、更にベース部材に対するブラケット本体の取り付け、取り外しを容易かつ確実にすることができる。
【００１８】
（３）請求項３記載の発明によれば、ブラケットの設置面積をできる限り小さくすることができると共に、ブラケット本体すなわちブラケットに強度を持たせることができる。ので、上記（１），（２）に加えて、更にブラケットの小型化が図れると共に、材料の削減が図れる。
【００１９】
（４）請求項４記載の発明によれば、ベース部材とブラケット本体の固定部をカバーによって外部から目隠しすることができるので、上記（１）〜（３）に加えて、更にブラケットに一体性を持たせると共に、美観の向上が図れると共に、手を接触して怪我をすることを防止し、かつ、手摺を取り外す等の悪戯防止が図れる。
【発明を実施するための最良の形態】
【００２０】
以下に、この発明の最良の実施形態を添付図面に基づいて詳細に説明する。
【００２１】
図１は、この発明に係る手摺用ブラケットの使用状態の一例を示す概略斜視図、図２は、その要部を示す斜視図、図３は、図２の裏面側から見た要部斜視図、図４は、この発明に係る手摺用ブラケットの取付面側から見た分解斜視図、図５は、手摺用ブラケットの取付裏面側から見た分解斜視図である。
【００２２】
この発明に係る手摺用ブラケットは、壁面１に固定されるベース部材１０と、ベース部材１０に対して着脱可能に固定されるブラケット本体２０と、ブラケット本体２０に対して着脱可能に装着され、ベース部材１０とブラケット本体２０の固定部を外部から被覆するカバー３０とで主に構成されている。
【００２３】
ベース部材１０は、図４及び図５に示すように、壁面１に螺合されるベース部材用固定ねじ１１を嵌挿する上部左右と下部中央の３箇所に設けられる貫通孔１２と、ブラケット本体２０を固定するための固定ねじ２１を螺合する中間部の左右２箇所に刻設されるねじ孔１３とを有する板状部材にて形成されると共に、その頂面１４に位置決め用嵌合受け部であるＶ字状溝１５を具備している。このベース部材１０は上部両側端に面取りを施し、下端面が緩やかな円弧状に膨隆する略矩形状の例えば鋼製の板部材にて形成されており、両面共に同様の仕上げとされ、施工時にどちらの面も使用することができるように形成されている。
【００２４】
ブラケット本体２０は、図４及び図５に示すように、ベース部材１０の表面部に当接する取付座２２と、この取付座２２の上部からベース部材側に向かって突設されてベース部材１０の頂面１４に載置される載置突部２３と、固定ねじ２１を挿通する中間部の左右２箇所に設けられる挿通孔２４と、取付座２２の表面側に膨隆する連結部２５を介して取付座２２及び連結部２５の上面に位置する手摺取付アーム２６とを具備すると共に、載置突部２３の下面に、Ｖ字状溝１５と嵌合可能な嵌合部であるＶ字状突起２７を具備している。
【００２５】
また、ブラケット本体２０は、取付座２２の表面側に膨隆する連結部２５を介して略Ｌ字状の手摺取付アーム２６が延在されており、連結部２５の側面に、固定ねじ２１の挿入案内用凹溝２８が形成されている。このブラケット本体２０は例えば亜鉛ダイキャストにて形成されている。
【００２６】
上記のように、取付座２２の表面側に連結部２５を膨隆させて手摺取付アーム２６を延在させることにより、ブラケット本体２０に強度を持たせることができる。また、連結部２５の側面に挿入案内用凹溝２８を設けることにより、既成の一体型ブラケットの取付面積を変えずに、既成の一体型ブラケットの取付面積と同じ面積のベース部材１０に対してブラケット本体２０を着脱可能に固定することができる。これにより、一体型のブラケットと同様にブラケットの小型化が維持されると共に、材料の削減が図れる。
【００２７】
手摺２は、図２に示すように、例えばアルミニウム合金製押出形材にて形成される下方が開口した断面略中空矩形状の手摺基材３と、この手摺基材３の外周を被覆する合成樹脂製の被覆部材４とで構成されている。この手摺２とブラケット本体２０とを固定するには、ブラケット本体２０の手摺取付アーム２６を手摺基材３の端部に挿入し、手摺基材３を貫通する図示しない固定ねじを手摺取付アーム２６の上端面に設けられたねじ孔２６ａに螺合して固定した後、手摺基材３に被覆部材４を被着する。
【００２８】
上記のように構成されるブラケット本体２０をベース部材１０に固定するには、まず、ベース部材用固定ねじ１１によって壁面１に固定されたベース部材１０の頂面１４にブラケット本体２０の載置突部２３を載置すると共に、Ｖ字状溝１５とＶ字状突起２７とを嵌合して仮固定する。この状態で、ベース部材１０に設けられたねじ孔１３とブラケット本体２０の取付座２２に設けられた挿通孔２４とが合致する。次に、ブラケット本体２０の挿通孔２４を貫通する固定ねじ２１を、ベース部材１０に設けられたねじ孔１３に螺合してベース部材１０とブラケット本体２０とを固定する。
【００２９】
カバー３０は、図４及び図５に示すように、ブラケット本体２０の取付座２２と連結部２５及び手摺取付アーム２６のベース部材側下端部を被覆し得る合成樹脂製のカバー本体３４によって形成されている。すなわち、カバー本体３４は、上端及びベース部材側の一側面が開口するように、一対の側面壁部３１と正面壁部３２及び底面壁部３３とで形成されている。また、このカバー本体３４の正面壁部３２の上端部の左右２箇所からベース部材側に向かって突出する一対の弾性変形可能な係止爪３５が手摺取付アーム２６のベース部材側下端面の左右２箇所に設けられた２個の係止受け部２９ａにそれぞれ係合可能に形成され、また、両側面壁部３１の対向する下端部間に連結される板状の係止片３６が取付座２２の下端部に設けられた係止スリット２９ｂに嵌合可能に形成されている。なお、カバー本体３４の正面壁部３２の上端部中央には、カバー３０の被着時に連結部２５の表面に当接する上部中央当接片３７が突設され、係止爪３５の下部側における正面壁部３２及び左右側面壁部３１には、カバー３０の被着時に取付座２２の表面及び連結部２５の側面に当接する上部側方当接片３８が突設され、また、係止片３６の上部側における左右側面壁部３１には、カバー３０の被着時に取付座２２の表面及び連結部２５の側面に当接する下部側方当接片３９が突設されている。
【００３０】
上記のように、ベース部材１０とブラケット本体２０の固定部を外部から目隠しするカバー３０をブラケット本体２０に被着することによって、ブラケットに一体性を持たせると共に、美観の向上を図ることができる。
【００３１】
ブラケット本体２０をベース部材１０から取り外すには、まず、図６（ａ）に示す組み付け状態にある手摺用ブラケットから係止爪３５と係止受け部２９ａの係合及び係止片３６と係止スリット２９ｂの嵌合を解除してカバー３０を取り外し、ブラケット本体２０とベース部材１０を固定している固定ねじ２１を露呈する（図６（ｂ）参照）。そして、固定ねじ２１を緩めて、固定ねじ２１とねじ孔１３の螺合を解除した後、ベース部材１０に対してブラケット本体２０を上方へ移動してベース部材１０のみを壁面に残す（図６（ｃ）参照）。したがって、例えば、図１に示すような階段の入隅部に設置された手摺においても容易にベース部材１０からブラケット本体２０と共に手摺２を取り外すことができる。その後、壁紙の張り替え作業やブラケット本体の交換作業を行うことができる他、引越等の際、手摺を取り外してスペースを確保することができる。
【図面の簡単な説明】
【００３２】
【図１】この発明に係る手摺用ブラケットの使用状態を示す概略斜視図である。
【図２】上記手摺用ブラケットの使用状態の要部を示す斜視図である。
【図３】図２の裏面側から見た要部斜視図である。
【図４】この発明に係る手摺用ブラケットの取付面側から見た分解斜視図である。
【図５】上記手摺用ブラケットの取付裏面側から見た分解斜視図である。
【図６】この発明におけるカバーとブラケット本体の取り外し手順を示す斜視図である。
【符号の説明】
【００３３】
１  壁面
２  手摺
１０  ベース部材
１１  ベース部材用固定ねじ
１２  貫通孔
１３  ねじ孔
１４  頂面
１５  Ｖ字状溝（位置決め用嵌合受け部）
２０  ブラケット本体
２１  固定ねじ
２２  取付座
２３  載置突部
２４  挿通孔
２５  連結部
２６  手摺取付アーム
２７  Ｖ字状突起（嵌合部）
２８  挿入案内用凹溝
２９ａ  係止受け部
２９ｂ  係止スリット
３０  カバー
３４  カバー本体
３５  係止爪
３６  係止片
【図１】
2008057104.tif 000003
【図２】
2008057104.tif 000004
【図３】
2008057104.tif 000005
【図４】
2008057104.tif 000006
【図５】
2008057104.tif 000007
【図６】
2008057104.tif 000008